(57)【要約】【課題】腰痛の人が横になって休息するときや眠るとき、腰に負担がかからない望ましい姿勢を保ち、よって腰の痛みをやわらげ、安眠を促し、腰痛の矯正を促進するための有効な矯正具を提供しようとするものである。【解決手段】足首を挿通する一対の筒状部を設けて所定の間隔に足首を保持するようにした足首固定部と、足首固定部の先端に首振り可能に取り付けられ、つま先をはめ込んでつま先が一定の角度以上に開かないよう所定の間隔につま先を保持するつま先保持部とを有することを特徴とする矯正具。【選択図】          図４
2005312537.tif 000002
【特許請求の範囲】
【請求項１】
足首を挿通する一対の筒状部を設けて所定の間隔に足首を保持するようにした足首固定部と、足首固定部の先端に首振り可能に取り付けられ、つま先をはめ込んでつま先が一定の角度以上に開かないよう所定の間隔につま先を保持するつま先保持部とを有することを特徴とする矯正具。
【請求項２】
足首固定部が、筒状部の外側端部に面ファスナで閉じる開閉部分を設けて所定の間隔に足首を保持するようにしたことを特徴とする請求項１に記載の矯正具。
【請求項３】
足首固定部が、伸縮性のある素材で形成した筒状部を備えることにより、所定の間隔に足首を保持するようにしたことを特徴とする請求項１に記載の矯正具。
【発明の詳細な説明】
【技術分野】
【０００１】
この発明は、腰痛の人が横になって休息するときや眠るとき、腰に負担がかからない望ましい姿勢を保ち、よって腰の痛みをやわらげ、安眠を促し、腰痛の矯正を促進するための矯正具に関するものである。
【背景技術】
【０００２】
人間は体を休めたり、眠るときには、あお向けになって両足を伸ばした姿勢が最も自然であり楽だ、とされている。しかしそれは健常者のことで、腰痛の人には当てはまらない。腰痛の人が両足を伸ばして寝ると、腰部が重いため凹状になり、腰への負担が一層ふえる結果、痛みが増し、安眠・熟睡どころか長時間横になっているのも苦痛になってくる。そこで比較的に体が楽になる方法として、両ひざを折り曲げひざの下にまくらや二つ折りの座布団を入れるなどしていた。
【０００３】
例えば特開平９−１６４１６１号公報（特許文献１という）には、一対の履き物にそれぞれ所定の長さのひもをつけ、各ひもをベルトに接続して、就寝時に足が伸びきらないようひざの角度を保つようにした腰痛者用安眠補助具が記載されている。
また、特開２００３−５２７２６公報（特許文献２という）には、仰向けに横たわることで姿勢が正され、また後方へ変位している腰椎を元の正しい位置へ戻すことで、腰痛を防止するとともに腰痛を治すことができる姿勢矯正ベッドが記載されている。
特開２００３−１４４４７０公報（特許文献３という）には、ベルトの両端を二股に分け、その二股の表裏に面ファスナーを設けてひざを拘束し、ひざを開いたり閉じたりする力を加えることを可能としたことを特徴とする仙腸関節矯正ベルトが記載されている。
実開平７−４２６２８号公報（特許文献４という）には、上向きに寝て、横向き及びうつ伏せ等の体に悪い姿勢にならないように保持する装置が記載されている。
【特許文献１】特開平９−１６４１６１号公報
【特許文献２】特開２００３−５２７２６公報
【特許文献３】特開２００３−１４４４７０公報
【特許文献４】実開平７−４２６２８号公報
【発明の開示】
【発明が解決しようとする課題】
【０００４】
しかしながら、就寝時に足が伸びきらないようひざの角度を保つことは、ひざが横に倒れて、逆に仰向けの姿勢を保つことを難しくしたり、腰にねじれを生じて腰痛にはよくない結果を生じやすい。
また、仰向けに横たわることで姿勢を正し、横向き及びうつ伏せ等の体に悪い姿勢にならないように保持する装置においては、身体の大部分が拘束されていて非常に寝苦しく、筋肉に無理な負担がかかってしまう。
ベルトの両端を二股に分け、その二股の表裏に面ファスナーを設けてひざを拘束し、ひざを開いたり閉じたりする力を加えることを可能としたものにおいては、就寝時に自然に腰に負担がかからない望ましい姿勢を保って腰の痛みを和らげるというよりも、鍛錬により腰痛を生じないよう筋肉を増強させようとするものであり、実際に腰痛を生じている場合には使用することが難しい。
【０００５】
そこでこの発明は、腰痛の人が横になって休息するときや眠るとき、腰に負担がかからない望ましい姿勢を保ち、よって腰の痛みをやわらげ、安眠を促し、腰痛の矯正を促進するための有効な矯正具を提供しようとするものである。
【課題を解決するための手段】
【０００６】
すなわちこの発明の矯正具は、足首を挿通する一対の筒状部を設けて所定の間隔に足首を保持するようにした足首固定部と、足首固定部の先端に首振り可能に取り付けられ、つま先をはめ込んでつま先が一定の角度以上に開かないよう所定の間隔につま先を保持するつま先保持部とを有することを特徴とするものである。
【０００７】
この発明の矯正具は、足首固定部が、筒状部の外側端部に面ファスナで閉じる開閉部分を設けて所定の間隔に足首を保持するようにしたことをも特徴とするものである。
【０００８】
この発明の矯正具は、足首固定部が、伸縮性のある素材で形成した筒状部を備えることにより、所定の間隔に足首を保持するようにしたことをも特徴とするものである。
【発明の効果】
【０００９】
この発明は、腰痛の人が体を横にして休息したり眠るとき、自然であり体が楽であると云われるあお向けになった姿勢を長時間保つための器具である。特に、足のつま先が開いていると太腿の内側の内転筋が緩んでしまい、腰痛が改善しないと考えられている。この発明の矯正具は、就寝中に足のつま先を閉じた状態として太腿の内転筋が緊張状態を保つことができ、したがって内転筋の強化を図ることにより、腰痛を改善することができるようにしたものである。
また、内転筋を緊張させると腹直筋（腹筋）等も適度に緊張し、腰痛の要因である腹直筋の緩みが解消して腰痛も緩和される。
もちろん、内転筋を緊張させて腹直筋（腹筋）等も適度に緊張させることにより、痩身作用（ダイエット効果）も認めることができる。
【発明を実施するための最良の形態】
【００１０】
以下、この発明の矯正具の実施の形態について、図面に基いて詳細の説明する。
図１はこの発明の矯正具の１実施例を示す平面図、図２はその斜視図、図３は矯正具で足首を拘束した状態を示す側面図、図４は足裏側から見た矯正具で足首を拘束した状態を示す背面図、図５は矯正具で足首を拘束した状態を示す拡大断面図である。
【００１１】
図１および図２はこの発明の矯正具の１実施例を示すものであり、矯正具１１は足首を挿通する一対の筒状部からなる足首固定部１３と、足首固定部１３の先端に首振り可能に取り付けられたつま先保持部１５とで構成してある。足首固定部１３とつま先保持部１５との連結は、両者を縫着したり、両者にまたがるようシートや布地を縫製したり、あるいは他の連結手段、例えば面ファスナ等を用いて適宜行うことができる。
【００１２】
上記足首固定部１３は、上下一対のシート素材２１，２３で構成し、上部のシート素材２１は短く、下部のシート素材２３は長くして、それぞれの上面に面ファスナ２５，２７を固着してある。その上で図５のように上下一対のシート素材２１，２３間に足首３１をはめ込み、下部のシート素材２３を上部のシート素材２１上に回してそれぞれ面ファスナ２５，２７を固着することにより、足首３１を挿通する一対の筒状部を形成してある。
したがって図４に示すように、両足首３１は一対の筒状部からなる足首固定部１３によって所定の間隔に足首を保持される。
【００１３】
上記つま先保持部１５は、図３に示すように足首固定部１３の先端に首振り可能に取り付けられ、足のつま先３３側をはめ込んでつま先３３が一定の角度以上に開かないよう所定の間隔につま先３３を保持するようになっている。すなわち、つま先保持部１５は先端を開いた筒状、あるいは先端を閉じた一対の筒状のシート素材からなり、この一対の筒状のシート素材を所定の間隔で連結している。もちろん、上記つま先保持部１５を足首固定部１３と同様の面ファスナを用いた開閉可能な構造とすることは自由である。
【００１４】
上記実施例においては、足首固定部１３として面ファスナ２５，２７を用いた開閉可能な構造を例示したが、足首固定部１３を伸縮性のある素材で形成した筒状部を備えるものとし、上記筒状部に足首を挿通するだけで所定の間隔に足首を保持することができるようにすることも可能である。
【００１５】
この発明の矯正具は、体を横にして休息するときや就寝のとき使用する。
すなわち、 仰向けに寝て上下一対のシート素材２１，２３間に足首３１をはめ込み、下部のシート素材２３を上部のシート素材２１上に回してそれぞれ面ファスナ２５，２７を固着する。その上で、足のつま先３３側をつま先保持部１５にはめ込む。
こうすることによって、両足首３１は足首固定部１３によって所定の間隔に足首を保持され、かつ、つま先３３がつま先保持部１５にはめ込まれて、一定の角度以上に開かないようつま先３３が保持される。
【００１６】
以上の手段でこの発明の矯正具を使用することにより、腰部への負担が最も少ないあお向けで、かつ足のつま先が閉じた状態の姿勢が、長時間無理なく持続できるので、安眠・熟睡が可能となる。
すなわち、足のつま先が開いていると太腿の内側の内転筋が緩んでしまい、腰痛が改善しないと考えられているが、この発明の矯正具によれば就寝中に足のつま先を閉じた状態として太腿の内転筋が緊張状態を保つことができ、したがって内転筋の強化を図ることにより、腰痛を改善することができるようになった。
【産業上の利用可能性】
【００１７】
腰痛の人が体を仰向けにして休息したり眠るとき、この発明を使用することにより、腰部への負担が最も少ないあお向けで、かつ足のつま先が閉じた状態の姿勢が、長時間無理なく持続でき、腰部への負担が軽減される矯正具を提供することができる。もちろん、太腿の内転筋の強化を行うために使用してもよい。
【図面の簡単な説明】
【００１８】
【図１】この発明の矯正具の１実施例を示す平面図である。
【図２】その斜視図である。
【図３】矯正具で足首を拘束した状態を示す側面図である。
【図４】足裏側から見た矯正具で足首を拘束した状態を示す背面図である。
【図５】矯正具で足首を拘束した状態を示す拡大断面図である。
【符号の説明】
【００１９】
１１  矯正具
１３  足首固定部
１５  つま先保持部
２１，２３  シート素材
２５，２７  面ファスナ
３１  足首
３３  つま先
【図１】
2005312537.tif 000003
【図２】
2005312537.tif 000004
【図３】
2005312537.tif 000005
【図４】
2005312537.tif 000006
【図５】
2005312537.tif 000007